(57)【要約】  本発明は、少なくとも１つの再生可能な直流源（２）からシステム（１）の複数のローカル負荷ユニット（３、３’、３’’）にローカルで生成されたエネルギーを分配するためのシステム（１）に関し、システム（１）は、各負荷ユニット（３、３’、３’’）に対して、統合ネットワーク（１０）に接続するように構成される入力部（４）と、少なくとも１つの負荷（１１、１１’、１１’’）に接続するように構成される出力部（５）と、インバータ入力部（７）およびインバータ出力部（８）を有するインバータ（６）であって、インバータ入力部（７）は直流源（２）に接続され、インバータ出力部（８）は、各負荷ユニット（３、３’、３’’）の入力部（４）および出力部（５）に接続され、インバータ入力部（７）における直流を、インバータ出力部（８）において交流に変換するインバータ（６）と、統合ネットワーク（１０）から現在の性能を決定するための各負荷ユニット（３、３’、３’’）の入力部（４）に接続されるパワーメーター入力部（１４）、および現在の性能に関するデータを統合ネットワーク（１０）からインバータ（６）に伝達するための各負荷ユニット（３、３’、３’’）のインバータ（６）に接続されるパワーメーター出力部（１５）を有するパワーメーター（１３）と、を備える。各負荷ユニット（３、３’、３’’）のインバータ（６）は、インバータ入力部（７）で印加された入力ＤＣ電圧を測定し、印加された入力ＤＣ電圧および伝達された性能データから、変換されるべき現在の電力を決定する。システムは、電力分配器のためのレトロフィットキットの一部を形成することができる。【選択図】図２
2020517211.tif 000002
【特許請求の範囲】
【請求項１】
ローカルで生成されたエネルギーを少なくとも１つの再生可能なＤＣ源（２）からシステム（１）の複数のローカル負荷ユニット（３、３’、３’’）に分配するための前記システム（１）において、各負荷ユニット（３、３’、３’’）に対して、
統合グリッド（１０）に接続するための入力部（４）と、
少なくとも１つの負荷（１１、１１’、１１’’）に接続するための出力部（５）と、
インバータ入力部（７）およびインバータ出力部（８）を有するインバータ（６）であって、前記インバータ入力部（７）が前記ＤＣ源（２）に接続され、前記インバータ出力部（８）が、前記各負荷ユニット（３、３’、３’’）の前記入力部（４）および前記出力部（５）に接続され、前記インバータ（６）が、前記インバータ入力部（７）における直流を前記インバータ出力部（８）において交流に変換する、インバータ（６）と、
前記統合グリッド（１０）から現在の電力消費量を測定するための前記各負荷ユニット（３、３’、３’’）の前記入力部（４）に接続されたパワーメーター入力部（１４）、および前記現在の電力消費量に関するデータを前記統合グリッド（１０）から前記インバータ（６）に送信するための前記各負荷ユニット（３、３’、３’’）の前記インバータ（６）に接続されたパワーメーター出力部（１５）を有するパワーメーター（１３）と、を備え、
前記各負荷ユニット（３、３’、３’’）の前記インバータ（６）が、そのインバータ入力部（７）に印加された入力ＤＣ電圧を測定するように、かつ前記印加された入力ＤＣ電圧および前記送信された電力消費量データから現在変換されるべき電力を決定するように構成されることを特徴とする、システム（１）。
【請求項２】
請求項１に記載のシステムにおいて、前記各負荷ユニット（３、３’、３’’）の前記インバータ（６）が、そのインバータ入力部（７）に印加された前記入力ＤＣ電圧から、所定の第１の特性曲線に従って現在変換可能な最大可能電力を決定することを特徴とする、システム。
【請求項３】
請求項２に記載のシステムにおいて、前記現在変換可能な最大可能電力が前記統合グリッド（１０）からの電力消費量以上である場合、前記統合グリッド（１０）からの電力消費量から予め設定された限界値を推測する方法で、前記各負荷ユニット（３、３’、３’’）の前記インバータ（６）が、前記現在変換されるべき電力を決定することを特徴とする、システム。
【請求項４】
請求項３に記載のシステムにおいて、前記予め設定された限界値が０ｋＷであることを特徴とする、システム。
【請求項５】
請求項２に記載のシステムにおいて、前記現在変換可能な最大可能電力が前記統合グリッド（１０）からの電力消費量未満である場合、前記現在変換されるべき電力が前記現在変換可能な最大可能電力のレベルと対応するように、前記各負荷ユニット（３、３’、３’’）の前記インバータ（６）が前記現在変換されるべき電力を決定し、その結果、前記統合グリッド（１０）からの電力消費量が最小化されることを特徴とする、システム。
【請求項６】
請求項１に記載のシステムにおいて、前記インバータ（６）が一方向インバータおよびＤＣ絶縁インバータであることを特徴とする、システム。
【請求項７】
請求項２に記載のシステムにおいて、前記各負荷ユニット（３、３’、３’’）の第１の特性曲線が互いに異なることを特徴とする、システム。
【請求項８】
請求項２に記載のシステムにおいて、少なくとも１つの負荷ユニット（３、３’、３’’）では、関連する前記負荷ユニットの前記インバータ（６）によって変換された電力が時間窓内で総計され、前記関連する負荷ユニットの前記総計された電力に対して閾値が予め定義され、前記閾値に到達時に前記関連する負荷ユニット（３、３’、３’’）のインバータ（６）が、その現在変換した電力をゼロまで減少させることを特徴とする、システム。
【請求項９】
請求項１に記載のシステムにおいて、少なくとも１つのバッテリー（２２）および双方向ＤＣチョッパー（２１）を備えるストレージユニット（２０）も備え、前記双方向ＤＣチョッパー（２１）の第１の端子（２３）が前記ＤＣ源（２）に接続され、前記双方向ＤＣチョッパー（２１）の第２の端子（２４）が前記バッテリー（２２）に接続され、前記双方向ＤＣチョッパー（２１）が、その第１の端子（２３）に印加された入力ＤＣ電圧から、所定の第２の特性曲線に従って現在貯蔵可能な最大可能電力を決定することを特徴とする、システム。
【請求項１０】
請求項９に記載のシステムにおいて、前記所定の第２の特性曲線が前記所定の第１の特性曲線とは異なることを特徴とする、システム。
【請求項１１】
請求項９に記載のシステムにおいて、前記双方向ＤＣチョッパー（２１）が、その第１の端子（２３）に印加された入力ＤＣ電圧から、前記所定の第２の特性曲線に従って、現在必要とされる放電電力を決定することを特徴とする、システム。
【請求項１２】
請求項１〜１１のいずれか１項に記載の本発明のシステム（１）で使用する配電パネル、特にアパート用配電パネルのためのレトロフィットキットにおいて、
前記配電パネルの交流電圧入力部に接続するためのインバータ出力部（８）、
少なくとも１つの再生可能なＤＣ源（２）に接続するためのインバータ入力部（７）、ならびに
前記インバータ入力部（７）に印加された入力ＤＣ電圧を測定して、前記印加された入力ＤＣ電圧および前記送信された電力消費量データから現在変換されるべき電力を決定するためのコントローラ、
を有するインバータ（６）と、
前記配電パネルに配置されたメーター（１３）から前記インバータ（６）に前記電力消費量データを送信するための通信接続部（１５）と、
ＤＣ配電パネル（１２）用の、前記配電パネルを前記再生可能なＤＣ源（２）に接続するための接続部と、
を備えることを特徴とする、レトロフィットキット。
【発明の詳細な説明】
【技術分野】
【０００１】
本発明は、ローカルで生成されたエネルギーの分配を改善するためのシステムに関する。本システムは、複数のローカル負荷ユニットを有し、ローカルで生成されたエネルギーは、再生可能なＤＣ源の共有により提供することができる。さらに、本発明は、配電パネルのためのレトロフィットキットにも関する。
【背景技術】
【０００２】
複数の家族またはユーザグループが共通のローカルエネルギー源の使用を望んでいるが、同時に統合グリッド、例えば公共エネルギーグリッドに接続されている場合、ローカルで生成されたエネルギーを分配する問題が、例えば、アパートビルで生じる。エネルギーフローのユーザグループへの分配、各ケースにおけるエネルギー消費量の捕捉、および統合グリッドオペレーターの管理規定により、分散された、特に、再生可能なエネルギー源の共有は複雑化し、結果的にコストが大きくなる。したがって、以前は１つのユーザグループのみに対してローカルエネルギー生成設備が作動していたか、または既存の統合グリッドおよびエネルギーメーターを使用して分配して捕捉するために、大規模な設備がより大規模な統合グリッドに導入していたかのいずれかである。多くの国では回生エネルギーの統合グリッドへの導入は、財政的な観点から次第に魅力が失われているため、ローカルな再生可能エネルギー源からの自家消費への関心が高まってきている。しかし、この自家消費は同時に有用でもあるが、これは、自家消費のために、統合グリッドは負荷される回生エネルギーの量が変動せず、したがってローカルな生成およびローカルな消費が同時に生じるためである。
【０００３】
したがって、例えば、アパートビルの屋根の太陽光発電設備を正確に共有することによって自家消費率を大幅に上昇させることができるにもかかわらず、これまではローカルな回生エネルギー源の共有は通常行われてこなかった。様々なユーザの数の増加に伴い、エネルギー消費習慣のバリエーションが増加し、統合グリッドの負荷ピークおよびトラフは、多数の消費者により統計的に補正される。同様に、アパートビルにおけるローカルで生成されたエネルギーによって、日中または夜間に活動する個人、および料理、洗濯、または他の電気もしくは電子機器の使用に関する習慣が異なる家族による使用が分散した結果、消費量を均等化することができ、したがって、結果的に、エネルギー生成設備を最適な方法で使用することができるようになる。それにもかかわらず、依然として余剰エネルギーが存在する場合、エネルギー貯蔵を行うことができる。しかし、このエネルギー貯蔵はかなり小規模であってよく、したがって、個別に使用される設備または実に複数の個別に使用される設備の場合よりもコスト効率が良い。
【０００４】
先行技術は、例えば、欧州特許出願公開第２９９３７５２Ａ２号明細書に開示されるように、複数のユーザグループがローカルな回生エネルギー源を共有するための中央制御装置の提供の実施について開示する。この場合、インバータおよび電気メーターは各ユーザグループに提供され、各インバータは中央制御装置に制御可能に接続され、中央制御装置は、提供する電力をユーザグループ間で分割する。そのような中央制御装置の導入、操作、および維持は、労力およびコストに関連する。したがって、本発明の範囲内で、提供する電力を、単純かつコスト効率の良い方法で、中央制御装置を用いることもなくユーザグループ間で分割可能であることが見出されたのは驚くべきことであった。
【発明の概要】
【０００５】
ローカルで生成されたエネルギーを少なくとも１つの再生可能なＤＣ源からシステムの複数のローカル負荷ユニットに分配するための本発明のシステムは、各負荷ユニットに対して、統合グリッドに接続するように構成される入力部、および少なくとも１つの負荷に接続するように構成される出力部を備える。負荷ユニットはそれぞれ、インバータ入力部およびインバータ出力部を有するインバータを備え、インバータ入力部はＤＣ源に接続し、インバータ出力部は各負荷ユニットの入力部および出力部に接続する。インバータは、インバータ入力部における直流をインバータ出力部において交流に変換する。負荷ユニットはまた、統合グリッドから現在の電力消費量を測定するための各負荷ユニットの入力部に接続されたパワーメーター入力部および各負荷ユニットのインバータに接続されたパワーメーター出力部を有するパワーメーターを備える。パワーメーター出力部は、現在の電力消費量に関するデータを統合グリッドからインバータに送信する。同時に、各負荷ユニットのインバータは、そのインバータ入力部に印加された入力ＤＣ電圧を測定し、印加された入力ＤＣ電圧および送信された電力消費量データから現在変換されるべき電力を決定する。
【０００６】
このように、負荷ユニットは、統合グリッドとローカルなＤＣ源との間に互いに平行に配置され、関連するインバータは、上位コントローラなしで自律的に動作する。パワーメーターは、関連する負荷ユニット、例えば、アパートビルのアパートに通常存在するような電気メーターであってもよい。パワーメーターは、現在の電力消費量を統合グリッドから測定して、この値を関連するインバータに、有線または無線方式で送信する。負荷は負荷ユニットの出力部に接続することができる。これらは、例えば、調理器、食器洗浄器、洗濯機、照明手段等の家庭において従来のものである負荷であってもよい。インバータがアクティブ状態である場合、すなわち、入力側に存在する直流をグリッド準拠交流に変換する場合、統合グリッドおよびローカルなＤＣ源から負荷に電力を供給することができる。この場合、単相または多相インバータを使用することができる。多くの国では電気負荷がグリッドの複数の相間で分割されるように接続されるため、各条件に適合するインバータが選択されることになる。関連するインバータは、ローカルなＤＣ源から負荷を完全に供給するために、送信されたパワーメーターデータを使用して、現在ローカルなＤＣ源からさらに変換する必要がある電力を決定することができる。同時に、関連するインバータはまた、その入力部に印加された入力ＤＣ電圧を特徴付ける測定値、例えば、入力ＤＣ電圧の振幅を決定する。入力ＤＣ電圧はまた、入力ＤＣ電圧に変調される信号であってもよく、また、入力ＤＣ電圧それ自体のように、ローカルなＤＣ源により生成される。
【０００７】
多くの発電機では、負荷中に端子電圧が低下し、例えば、太陽光発電機として提供されるローカルなＤＣ源は、同様に動作し得るか、またはこの発電機の動作は、太陽光発電機に接続されたＤＣチョッパーステージ（ＤＣ／ＤＣ変換器）によりシミュレートされ得る。したがって、端子電圧は、発電機の負荷の測定値の役割を果たすことができ、発電機の電力リザーブは、端子電圧のレベルから推測することができる。太陽光発電機に接続されたＤＣチョッパーステージはまた、太陽光発電機の電力リザーブの由来元であり得る信号を変調することができる。各負荷ユニットに関連するインバータはここで、現在の入力電圧レベルまたは負荷の増加と共に変化する対応信号を決定する場合、インバータは、例えば、保存された閾値、特性曲線等と比較することにより、ローカルなＤＣ源が依然として電力リザーブを有しているかどうかを判定することができる。現在変換されるべき電力は、電力リザーブの指標および統合グリッドからの現在の電力消費量の比較により決定することができる。これは、十分な電力リザーブが存在する場合、例えば、ローカルなＤＣ源から負荷を完全に供給するために、現在ローカルなＤＣ源からさらに変換する必要がある電力であってもよい。代替として、現在変換されるべき電力は、ローカルなＤＣ源から負荷を完全に供給するために、現在ローカルなＤＣ源からさらに変換する必要がある電力の一部に対応してもよい。
【０００８】
本発明のシステムの有利な一実施形態では、各負荷ユニットのインバータは、そのインバータ入力部に印加された入力ＤＣ電圧から、所定の第１の特性曲線に従って現在変換可能な最大可能電力を決定する。このような特性曲線により、例えば、入力ＤＣ電圧と、関連するインバータにより変換することができる最大可能電力との間の直線関係を確立することができ、その結果、ＤＣ源の平均的な負荷の場合、インバータにより変換された電力は、接続された負荷により必要とされる電力に適合させることができる。したがって、例えば、全ての負荷が供給されるまで、またはＤＣ源の最大性能、すなわち現在変換可能な最大可能電力に到達するまで、インバータは、その現在変換した電力を特性曲線に沿って増加させることができる。
【０００９】
現在変換可能な最大可能電力が統合グリッドからの電力消費量以上である場合、本発明のシステムの別の有利な実施形態は、統合グリッドからの電力消費量が限界値の事前設定に役立つように、現在変換されるべき電力を決定するために、各負荷ユニットのインバータを提供する。一連の方法では、各負荷ユニットのインバータは、統合グリッドから現在の電力消費量のレベルを判定し、本発明の一実施形態では、インバータに変換された電力を、それが記憶された仕様に対応するように適合させようと試みる。例えば、検討中の負荷ユニットによる統合グリッドからの電力消費量の上限を設定することができ、その結果、関連するインバータは、自らが変換した電力を、この上限に到達するまで増減させる。
【００１０】
別の変形は、ローカルなＤＣ源から電力消費量の限界値を記憶することを含むことができ、その結果、この限界値に到達するまで、インバータがその現在変換した電力のみを増加させ、接続された負荷の任意のさらなる消費量が統合グリッドから供給される。また、各負荷ユニットのインバータの制御対象では、各負荷ユニットで消費されたエネルギーの特定の部分が、ローカルなＤＣ源から常に得られることが考えられる。これの必要条件は、ローカルなＤＣ源が十分な電力リザーブを有すること、および接続された負荷から必要とされることである。
【００１１】
本発明のシステムの特に好ましい一実施形態では、予め設定された限界値は０ｋＷであり、これは、現在変換可能な最大可能電力が少なくとも統合グリッドからの電力消費量と等しい場合、各負荷ユニットのインバータが現在さらに変換されるべき電力を、それが統合グリッドからの電力消費量のレベルに対応するように決定することを意味する。したがって、各負荷ユニットのインバータは、その現在変換した電力を、統合グリッドからの以前に決定した電力消費量のレベルで増加させ、その結果、各負荷ユニットに接続した負荷はローカルなＤＣ源から完全に供給される。
【００１２】
現在変換可能な最大可能電力が統合グリッドからの電力消費量未満である場合、本発明のシステムの別の好ましい実施形態では、各負荷ユニットのインバータは、現在変換されるべき電力を、それが現在変換可能な最大可能電力に対応するように決定する。これにより、統合グリッドからの電力消費量が最小化する。これは、例えば、ローカルなＤＣ源から供給された電力が、各負荷ユニットに接続された全ての負荷を所望の程度で提供するには十分ではない場合、各負荷ユニットのインバータは、それが変換した電力を、少なくとも最大可能量だけ増加させることを意味する。
【００１３】
本発明のシステムの有利な一実施形態では、各負荷ユニットのインバータは、一方向インバータとして提供され、またＤＣ絶縁インバータとして提供される可能性もある。電気貯蔵がＤＣ電圧側で本発明のシステムに提供されるとしても、本発明のシステムのインバータのＡＣ電圧側からＤＣ電圧側へのエネルギーフローは意図されていない。したがって、ＤＣからＡＣへのエネルギーフローの方向に半導体スイッチが最適化されているインバータは十分なものであり、したがって、本発明のシステムのコストが減少する。確実にＡＣ電圧側からＤＣ電圧側を電気的にデカップリングするために、インバータをＤＣ絶縁インバータとして提供することができる。
【００１４】
本発明のシステムの別の有利な実施形態では、各負荷ユニットの第１の特性曲線は互いに異なる。これにより、各負荷ユニットのインバータの様々な制御仕様を規定することが可能になる。様々な特性曲線を各インバータの制御コンポーネントに記憶することができる。同じ入力ＤＣ電圧が、本発明のシステムの全てのインバータに印加されるが、インバータは、様々な特性曲線を使用して入力ＤＣ電圧から各負荷ユニットに対して現在変換可能な様々な最大可能電力を決定することができる。この特徴により、所望の場合は、上位コントローラを使用せずに、ローカルで生成されたエネルギーを不均等に分配することも可能になる。しかし、当然のことながら、均等な分配が所望される場合は、同じ特性曲線を本発明のシステムの各インバータに記憶させることもでき、その結果、接続された負荷のエネルギー消費量が同じである場合は、現在変換されるべき同じ電力がインバータにより決定される。
【００１５】
本発明のシステムの別の有利な実施形態では、少なくとも１つの負荷ユニットに対して、関連する負荷ユニットのインバータにより変換された電力が、時間窓内で総計される。総計された電力に対して閾値、したがって、関連する負荷ユニットのエネルギー閾値が予め定義されている場合、関連する負荷ユニットのインバータは、閾値に到達時に、その現在変換した電力をゼロまで減少させる。様々な時間窓も、様々な負荷ユニットに対して１日かけて分配されるように提供される場合、ローカルなＤＣ源により提供されるエネルギーはしたがって、複数にそのまま分割することができ、また様々な負荷ユニット間で本発明のシステムのインバータにより、上位コントローラを使用する必要なく、１日かけて分配されるように分割することができる。
【００１６】
特に好ましい一実施形態では、本発明のシステムはまた、ストレージユニットを備える。ストレージユニットは、少なくとも１つのバッテリーおよび双方向ＤＣチョッパーを備え、双方向ＤＣチョッパーの第１の端子はＤＣ源に接続され、双方向ＤＣチョッパーの第２の端子はバッテリーに接続される。双方向ＤＣチョッパーは、その第１の端子に印加された入力ＤＣ電圧から、所定の第２の特性曲線に従って、現在貯蔵可能な最大可能電力を決定する。負荷ユニットのインバータと同様に、ストレージユニットの双方向ＤＣチョッパーは、現在の入力電圧レベルから、例えば、保存された閾値、特性曲線等と比較することにより、ローカルなＤＣ源が依然として電力リザーブを有しているかどうかを判定する。これまで未使用の電力は、なおもローカルで入手可能な場合、バッテリーに貯蔵することができる。別の実施形態では、所定の第２の特性曲線は、所定の第１の特性曲線とは異なる。これにより、例えば、まず負荷ユニットに接続された負荷に電気エネルギーが供給され、単に副次的にバッテリーが充電される状況を実現することが可能になる。本発明のシステムが自家消費を最適化するために使用される場合、直接的なローカルの消費は、エネルギーの貯蔵よりも優先される。一方、これにより、バッテリーの充電中およびバッテリーからの放電中に変換損失を回避することが可能になる。一方、バッテリーの寸法は相当小さくてもよい。電力貯蔵技術の費用が依然として非常に高いことを鑑みると、バッテリーの寸法が相当小さいことにより、本発明のシステムのコスト効率も良くなる。
【００１７】
本発明のシステムの別の有利な実施形態では、双方向ＤＣチョッパーは、その第１の端子に印加された入力ＤＣ電圧から、所定の第２の特性曲線に従って、現在必要とされる放電電力を決定する。例えば、ローカルエネルギー消費量がローカルなＤＣ源から同時に入手可能な電力を超える場合、かつ印加された入力ＤＣ電圧が所定の閾値を下回る場合、これは、バッテリーから本発明のシステムのＤＣ配電パネルにエネルギーを供給するための双方向ＤＣチョッパーへの信号であり得る。これにより、ローカルで生成されたエネルギーの自家消費をさらに増加させることが可能になる。
【００１８】
接続された全ての負荷を、ローカルなＤＣ源から供給し、かつバッテリーの貯蔵能力も十分に使用される場合、例えば、さらなる可変負荷が提供され得て、過剰なローカルエネルギーを消費するために、オン状態に切り替えられる。可変負荷をオン状態に切り替えることは、例えば、電線上の変調された特殊信号（放送信号）により誘発することができる。もはやさらなるローカルの消費量が見込まれない場合、ローカルなＤＣ源を削減することができる、すなわち、その電力を減少させて、ローカルな生成量と消費量とのバランスを取ることができる。本発明のシステムでは、統合グリッドへのエネルギーの導入は実現されない。
【００１９】
本発明のシステムは、特に小型でコスト効率の良いコンポーネントにより区別され、例えば、アパートビルで、共有された太陽光発電設備からのエネルギーの分配に理想的に適している。これはまた、実行が必要な設置ステップがごくわずかであり、かつ設置が必要なコンポーネントもごくわずかであるため、特に、太陽光発電設備を用いてビルを改造する場合に有利である。従来の配電パネル、特にアパート用配電パネルは、ＡＣ電圧分配グリッドへの接続部を有し、アパート／サブユニットのエネルギー消費量等を測定する電気メーターが装備されている。電力は、ヒューズが装備されて各消費点に送られている電線で分配される。
【００２０】
特に好ましい一実施形態は、本発明のシステムで使用するための配電パネル、特にアパート用配電パネルのためのレトロフィットキットに関する。この場合、レトロフィットキットは、配電パネルの交流電圧入力部に接続するように構成されるインバータ出力部を有するインバータを備える。インバータは、少なくとも１つの再生可能なＤＣ源に接続するように構成されるインバータ入力部と、インバータ入力部に印加された入力ＤＣ電圧を測定するコントローラと、を有する。レトロフィットキットはまた、配電パネルに配置されたメーターからインバータに電力消費量データを送信するための通信接続部と、配電パネルを再生可能なＤＣ源に接続させるためのＤＣ配電パネルの接続部と、を備える。コントローラは、印加された入力ＤＣ電圧および送信された電力消費量データから、現在変換されるべき電力を決定する。
【００２１】
このように、再生可能なＤＣ源、特に太陽光発電設備をビルの屋根に設置する場合、およびビルで中央取り付けシャフトによりＤＣ配電パネルとして電線を設置して、それをアパート用配電パネルに送る場合よりもさらに複雑な設置作業は必要とされない。住居ユニット用のインバータは、家庭での通常のエネルギー消費の場合、非常に小型であるため、レトロフィットキットのコンポーネントは一般に、既存のアパート用配電パネルに収容することができる。これにより、その後、特にアパートビルで、コスト効率が良くかつ複雑性が低い方法で共有される太陽光発電設備を設置することが可能になる。
【００２２】
図面を使用して、例示的な実施形態に基づいて、本発明について以下で説明する。この図面から、特許請求の範囲の特徴と一緒に考慮して、本発明のさらなる特徴、特性、および利点が明らかになる。
【図面の簡単な説明】
【００２３】
【図１】図１は、本発明のシステムの例示的な構成の概略図を示す。
【図２】図２は、本発明のシステムの負荷ユニットの例示的な構成を示す。
【図３】図３は、本発明のシステムのストレージユニットの例示的な構成を示す。
【発明を実施するための形態】
【００２４】
図１は、本発明のシステム１の例示的な構成を概略的に示す。負荷ユニット３、３’、３’’は、統合グリッド接続部９で統合グリッド１０に接続される。これは、例えば、一般にはグリッドオペレーターにより提供され、多相設計を有することが多い公共ＡＣ電圧グリッドの低電圧分配グリッドであってもよい。負荷ユニット３、３’、３’’は、アパートビルの異なるアパート、フロア、またはビルもしくは事業所の他のサブユニットであってもよい。さらに、負荷ユニット３、３’、３’’は、ＤＣ配電パネル１２に接続され、ＤＣ配電パネル１２には、共有されたＤＣ源２も接続されている。ＤＣ源２は、例えば、アパートビルの屋根の上の太陽光発電設備であってもよい。この場合、ＤＣ／ＤＣ変換器（図示せず）も通常、ＰＶ発電機とＤＣ配電パネル１２との間に配置され、前記コントローラが、ＰＶ発電機の最大電力点（ＭＰＰ）を制御することになる。
【００２５】
図２は、本発明のシステム１に含まれ得るような負荷ユニット３の例示的な構成を示す。負荷ユニット３は、上述のように、その入力部４で統合グリッド接続部９およびＤＣ配電パネル１２に接続される。さらに、負荷ユニット３はまた出力部５を備え、出力部５には、ＡＣ配電パネル１６を介して電気負荷１１、１１’、１１’’、１１’’’が接続されている。負荷１１、１１’、１１’’、１１’’’は、家庭の従来の負荷、例えば、照明器具、洗濯機、調理器等であってもよいが、また、例えば事業所の生産機械であってもよい。負荷１１、１１’、１１’’、１１’’’、…は、単相または多相ＡＣ電力を消費するように構成することができ、ＡＣ配電パネル１６は、例えば、家庭では通常であるように、単相負荷を複数の相に分配することができる。統合グリッド１０からの現在の電力消費量は、パワーメーター１３により負荷ユニット３で測定される。このために、パワーメーター入力部１４は、入力部４に接続される。パワーメーター１３は、例えば、アパートビルのアパートに通常存在するような電気メーターであってもよい。しかし、このメーターは、自らが現在測定した電力消費量データを少なくとも送信するように構成されなければならない。
【００２６】
負荷ユニット３はまたインバータ６を備え、インバータ６のインバータ入力部７がＤＣ配電パネル１２に接続され、インバータ６のインバータ出力部８が負荷ユニット３の入力部４と出力部５との間の接続部に接続されている。インバータ６は、その入力部で利用可能なＤＣ電力をグリッド準拠ＡＣ電力に変換して、グリッド準拠ＡＣ電力を、負荷ユニット３の入力部４と出力部５との間の接続部またはＡＣ配電パネル１６に送るように構成される。
【００２７】
パワーメーター１３は、その現在測定した電力消費量データを、パワーメーター出力部１５を介して、インバータ６に送信する。この送信は、有線または無線方式で行うことができる。本発明のシステム１が基づくアイデアは、ＤＣ源２により提供される電力を、システム１内で可能な限り完全に消費するというアイデアである。このため、インバータ６は、自らが導入した電力を、統合グリッドからの電力消費量がゼロワットに減少するまで増加させるように構成することができる。負荷ユニット３に接続された全ての負荷１１、１１’、１１’’、１１’’’は、ローカルなＤＣ源２から供給されるか、（または全く消費がないか）のいずれかである。
【００２８】
ＤＣ源２が電力リザーブを有するかどうか、すなわち、接続された負荷１１、１１’、１１’’、１１’’’、…により多くの電力を供給するためにインバータ６がさらに、自らが導入した電力を増加させることができるかどうかを判定するために、インバータ６は、例えば、その入力部７に印加されたＤＣ電圧を測定することができる。ＤＣ電圧は、ＤＣ源２の負荷が高い場合、減少させることができる。インバータ６は、例えば、所定の閾値を下回っているＤＣ電圧から、自らが変換した電力をそれ以上増加させることができないと結論付けることができる。ＤＣ電圧の減少が継続する場合、インバータ６は自らが導入した電力を減少させるということを記憶することが可能である。反対に、高いＤＣ電圧により、変換された電力の増加が可能であることが示される場合がある。
【００２９】
代替的に、インバータ６は、そのインバータ入力部７で、ＤＣ源２の電力リザーブの指標として入力ＤＣ電圧に変調される信号を決定することができる。上述のように、この信号を、ＰＶ発電機とＤＣ配電パネル１２との間に配置されたＤＣ／ＤＣ変換器（図示せず）により、入力ＤＣ電圧に変調することができ、次いで、この信号の閾値を使用して、ＤＣ源２の電力リザーブを測定することができる。信号またはＤＣ電圧レベルとＤＣ源２の電力リザーブとの間の関係を説明するための閾値または特性曲線は、インバータ６のコントローラ（図示せず）に記憶させることができる。
【００３０】
負荷ユニット３のコンポーネントは、アパートの従来の配電パネルに良好に統合することができる。電気メーターならびに接続部４および５は通常、配電パネルに既に存在しているため、配電パネルは後に、追加的にインバータ６を設置し、ＤＣ配電パネル１２を送り、電気メーター１３とインバータ６との間の通信接続をセットアップすることにより、本発明のシステム１で使用するための負荷ユニット３を形成するように容易にアップグレードすることもできる。
【００３１】
図３は、本発明のシステム１で使用するためのストレージユニット２０の例示的な構成を示す。ストレージユニット２０は、バッテリー２２および双方向ＤＣチョッパー（ＤＣ／ＤＣ変換器）２１を備える。ＤＣ／ＤＣ変換器２１の端子２３は、ＤＣ配電パネル１２に接続され、ＤＣ配電パネル１２を介して、ＤＣ／ＤＣ変換器はＤＣ源２に接続される。ＤＣ／ＤＣ変換器２１の端子２４はバッテリー２２に接続され、バッテリー２２は複数のバッテリーサブユニットまたは複数のバッテリーから構成され得る。一方では、ＤＣ／ＤＣ変換器２１は、ＤＣ配電パネル１２からエネルギーを取得して、そのエネルギーをバッテリー２２に貯蔵することによって、充電コントローラの役割を果たし、他方では、ＤＣ／ＤＣ変換器２１はまた、バッテリー２２からＤＣ配電パネル１２へのエネルギーの導入およびエネルギーの除去を制御する。上述の負荷ユニット３と同様に、ＤＣ／ＤＣ変換器２１は、その端子２３に印加されたＤＣ電圧または入力ＤＣ電圧に変調された信号を、ＤＣ源２の電力リザーブの指標として測定することができる。ＤＣ／ＤＣ変換器２１のコントローラは、電気的特性変数間、例えば、印加されたＤＣ電圧レベルと利用可能なＤＣ電力または現在貯蔵可能な最大可能電力との間の関係を確立する第２の特性曲線を記憶する。この第２の特性曲線は、第１の特性曲線とは異なる勾配を有することができる。そのため、同じＤＣ電圧レベル測定値に対して、負荷ユニットおよびストレージユニットの異なる応答動作がもたらされる。これは、まず負荷ユニットに接続された負荷に電気エネルギーが供給され、単に副次的にバッテリーが充電されることを意味し得る。
【００３２】
例えば、ＤＣ電圧レベル測定値がさらにより低い閾値を下回る場合、これは、電力のローカルの消費量が、ローカルの生成と比較して高いことを示し得る。これは、ストレージユニットがその貯蔵エネルギーを再度ＤＣ配電パネル１２に供給する信号でもあり得る。したがって、以前のローカルの過度なエネルギーは、自家消費のために再度供給することができる。
【符号の説明】
【００３３】
１  システム
２  ＤＣ源
３、３’、３’’、…  負荷ユニット
４  入力部
５  出力部
６  インバータ
７  インバータ入力部
８  インバータ出力部
９  統合グリッド接続部
１０  統合グリッド
１１、１１’、１１’’、１１’’’…  負荷
１２  ＤＣ配電パネル
１３  パワーメーター
１４  パワーメーター入力部
１５  パワーメーター出力部
１６  ＡＣ配電パネル
２０  ストレージユニット
２１  ＤＣチョッパー
２２  バッテリー
２３  端子
２４  端子
【図１】
2020517211.tif 000003
【図２】
2020517211.tif 000004
【図３】
2020517211.tif 000005
【国際調査報告】
2020517211.tif 000006
2020517211.tif 000007
2020517211.tif 000008
2020517211.tif 000009
2020517211.tif 000010
2020517211.tif 000011